(57)【要約】    【課題】ベルトを分断状態にしなくても掛け外しが可能であること、雌雄ボタンの係合が不要であること、着用者の肌にほとんど触れないことを特徴とするサイズ調整具を提供する。    【解決手段】上側ベルト（２２）と下側ベルト（２１）に分断されたベルト（２）の重なり部分の長さを調節可能とするベルトサイズ調整具（３）である。前記下側ベルト（２１）に固定したガイドレール（４）と、前記ガイドレール（４）上をスライド可能かつ特定位置で固定可能なスライダー（５）と、前記上側ベルト（２２）に設けられた複数の調節孔（２３）に選択的に係合可能な止めピン（６３）を有するバックル（６）とからなる。前記スライダー（５）と前記バックル（６）は一体化している。【選択図】図１
2008061901.tif 000002
【特許請求の範囲】
【請求項１】
上側ベルト（２２）と下側ベルト（２１）に分断されたベルト（２）の重なり部分の長さを調節可能とするベルトサイズ調整具（３）であって、
上下何れかのベルト（２１）に固定したガイドレール（４）と、
前記ガイドレール（４）上をスライド可能かつ特定位置で固定可能なスライダー（５）と、
前記ベルト（２１）と反対側のベルト（２２）に設けられた複数の調節孔（２３）に選択的に係合可能な止めピン（６３）を有するバックル（６）とからなり、
前記スライダー（５）と前記バックル（６）が一体化していることを特徴とするベルトサイズ調整具（３）。
【請求項２】
前記スライダー（５）と前記バックル（６）を一体化させるために、スライダー側（５）から爪（５２）を立てて、その爪（５２）でバックル（６）の外枠（６１）又は中央横断棒（６２）と係合させている請求項１記載のベルトサイズ調整具（３）。
【請求項３】
前記スライダー（５）と前記バックル（６）を一体化させるために、バックル側から爪を立てて、その爪でスライダーの外枠と係合させている請求項１記載のベルトサイズ調整具。
【請求項４】
前記スライダー（５）と前記バックル（６）を一体化させるために、バックルとスライダーとをつなぐ独立した連結具を用いる請求項１記載のベルトサイズ調整具。
【請求項５】
前記ガイドレール（４）がレールの長手方向に垂直な方向に伸びる複数の突条を平行に並べたものである請求項１ないし４のいずれかに記載のベルトサイズ調整具。
【請求項６】
前記ガイドレール（４）がレールの長手方向に少なくとも１列の浅い四角柱状の係止歯を断続的に並べたものである請求項１ないし４のいずれかに記載のベルトサイズ調整具。
【請求項７】
前記ガイドレール（４）がレールの長手方向に少なくとも１列の浅い三角柱状の係止歯を断続的に並べたものである請求項１ないし４のいずれかに記載のベルトサイズ調整具。
【請求項８】
前記ガイドレール（４）は、長手方向の両脇が肉厚部（４５）を形成している請求項１ないし７のいずれかに記載のベルトサイズ調節具。
【発明の詳細な説明】
【技術分野】
【０００１】
本発明は、ベルトサイズ調整具に関する。本発明は、サンダル等、踵部分をバンドで固定する形式の婦人靴のサイズ調整具に関して開発されたものであるが、他に腰ベルト等、一般のベルトについても適用可能である。以下の説明では、婦人靴のサイズ調整具を例にとって説明する。
【背景技術】
【０００２】
踵部分をバンドで固定する形式の婦人靴はバンドの長さが調整可能となっていることが多く、その目的のために腰ベルトのバックルに似た器具が用いられている。例えば、下記特許文献１のようなものである。この従来技術は、バックルと雌雄スナップボタンを一体化させたものであり、前者によりベルトの長さ調節を行い、後者により、分断されたベルト両端の掛け外しを行っている。
【特許文献１】実開平６−５５４０７号公報
【発明の開示】
【発明が解決しようとする課題】
【０００３】
特許文献１のサイズ調節具では、ベルト両端の掛け外しはスナップボタンの脱着で行うので、外したときには、ベルトがだらしなく垂れ下がってしまい、見栄えが悪かった。また、着用者は体を傾けながら上から手を伸ばしてスナップボタンを係合させるのであるが、うまく留められなかったり、姿勢を崩したりすることがあった。さらにスナップボタンは打付け機械によりベルトに打ち込まれるので、ボタンの裏座（多くは金属製である）が直接着用者の肌に当たっていた。
【０００４】
そこで、本発明は、ベルトを分断状態にしなくても掛け外しが可能であること、雌雄ボタンの係合が不要であること、着用者の肌にほとんど触れないことを特徴とする婦人靴用サイズ調整具を提供することを目的とする。さらに本発明では、そのような特殊用途を離れて一般に、比較的にベルトサイズの調節距離が長い調整具を提供することも目的とする。
【課題を解決するための手段】
【０００５】
本発明は、上側ベルトと下側ベルトに分断されたベルトの重なり部分の長さを調節可能とするベルトサイズ調整具であって、上下何れかのベルトに固定したガイドレールと、このガイドレール上をスライド可能かつ特定位置で固定可能なスライダーと、前記ベルトと反対側のベルトに設けられた複数の調節孔に選択的に係合可能な止めピンを有するバックルとからなり、前記スライダーと前記バックルが一体化していることを特徴とする。
【発明の効果】
【０００６】
本発明では、ガイドレールとスライダーとの選択的な位置固定により、ベルトの長さ調節が可能である。さらに、バックルの調節孔と上側ベルトの選択的な係合によっても、ベルトの長さ調節が可能である。したがって、ベルトの長さ調節は二重に可能となっているので、それぞれ単独の場合と比較すると、調節距離が長くなっている。
【０００７】
また、本発明では、雌雄スナップボタンを使用しないので、ベルトを分断状態にするにはバックルからベルトを外さなければならず、そのようなことは意識的に行わない限りありえない。そのため、ボタンを外したときの見苦しさはなくなると共に、ボタンの係合という作業も不要となる。
【０００８】
さらに、本発明を婦人靴に適用したとき、スライダー及びバックルの下方には必ず下側ベルトが位置する。したがって、スライダー及びバックルが靴着用者の足に直接当たることはないので、足を痛めることがない。
【発明を実施するための最良の形態】
【０００９】
ガイドレールとしては、次のようなものが使用可能である。
（１）レールの長手方向に垂直な方向に伸びる複数の突条を平行に並べたもの（例えば、実公平６−１３２１１号、特許第３４８６８３４号、特許第３４３０３０７号、特許第３４４０２６０号、特開２００１−１３１８１６、特開２００１−１４６６１９参照）
（２）レールの長手方向に１列又は２列の浅い四角柱状の係止歯を断続的に並べたもの（例えば、特許第２８６０４４６号参照）
（３）レールの長手方向に１列又は２列の浅い三角柱状の係止歯を断続的に並べたもの（後記実施例１参照）
【００１０】
いずれも突条や係止歯が断続的に並べられているので、サイズ調節が終わったあとでは、至近位置の突条や係止歯がストッパーとなり、その位置で固定される。  上記（３）の三角柱状の係止歯は傾斜辺を有するので、後記する機構により、縮まる方向には、上側ベルトを引っ張るだけで締められるという特別の効果が得られる。
【００１１】
レールは細長い板状であるのが普通なので、強度を高める上で、長手方向の両脇は肉厚部としておくことが好ましい。
【００１２】
スライダーとしては、前段落で引用した特許・実用新案公報に図示されているようなものが使用可能である。
【００１３】
スライダーとバックルを一体化する方法としては、次のような方法がある。
（１）スライダー側から爪を立てて、その爪でバックルの外枠又は中央横断棒と係合させる（後記実施例１参照）。
（２）バックル側から爪を立てて、その爪でスライダーの外枠と係合させる。
（３）バックルとスライダーとをつなぐ独立した連結具を用いる。
【００１４】
部品としてのバックルは既に多様なデザインのものが市販されており、しかも、バックルとスライダーの固定は、例えば上記のように、爪による押圧固定だけであるので、工場生産段階において、バックルのみを他のデザインのものへと設計変更するのは極めて容易である。
【実施例１】
【００１５】
以下、添付の図面に基づき、本発明の１実施例を説明する。
【００１６】
図１は、本発明のサイズ調整具を使用した婦人靴１の斜視図である。使用者の踵に固定する靴ベルト２の長さ調節を行う調整具３が設けられている。図２は、図１の２−２断面図、図３（ａ）は、調整具３の拡大平面図（自然状態）で、（ｂ）は縦断面図、図４（ａ）は調整具３の拡大平面図（調整中）で、（ｂ）は同縦断面図である。
【００１７】
図１及び図２に示すように、この靴ベルト２は、分断個所で３層になっている。下側ベルト２１と上側ベルト２２は、分断された靴ベルト２の重なり部分である。中間層はガイドレール４であって、その両端４１，４２は下層２１に固着されている。ガイドレール４上にはスライド及び位置固定が可能なスライダー５が取り付けられている。スライダー５には、止めピン６３を有するバックル６が固定されている。止めピン６３は上側ベルト２２に設けられた複数の調節孔２３（図１）に対して選択的に係合可能である。
【００１８】
それぞれの構成要素をさらに詳しく見ると、ガイドレール４は、図3、4に示すように、合成樹脂製の細長い基板４３で、片面の長手方向中央に三角柱の浅い係止歯４４が断続的に一列に設けられている。ガイドレール４の長手方向両脇は肉厚部４５となってガイドレール基板４３の強度を高めている。
【００１９】
バックル６は、図１〜４に示すように、中央に横断棒６２が固定された四角い外枠６１を有し、横断棒６２から止めピン６３が旋回可能に突出している。その横断棒６２は、スライダー５から突出する２本のフック状の爪５２によって押さえつけられているので、バックル６はスライダー５と一体化している。
【００２０】
スライダー５は、中空の四角い箱５１であり、左右側部及び上部にそれぞれ開口５３，５４がある。左右側部の開口５３はガイドレール４の通路であって、ここを通じてスライダー５の中をガイドレール４が貫通している。上部の開口５４からは、押動片５５のプレス用頭部５５１と頸部５５２が突出している。押動片本体５５３は、スライダー箱５１の中に収容され、プレス用頭部５５１の押圧により上下動が可能である。押動片本体５５３の底部はＵ字型反転部５５４を形成しており、最下部とスライダー箱底部の間に設けられた二脚バネ５６により、常態では上方に付勢されている（図３の状態）が、プレス用頭部５５１が押し下げられたとき、押動片本体５５３は、バネ５６の力に抗して下方に移動する。
【００２１】
常態では、Ｕ字型反転部５５４の先端５５５は、スライダー箱５１の中で、ガイドレール４の係止歯４４と接触し、スライダー５がガイドレール４の特定位置で固定されている（図３（ｂ）参照）。この位置を変更するには、プレス用頭部５５１を押し下げて、Ｕ字型反転部の先端５５５と係止歯４４の接触を解除すればよい（図４（ｂ）参照）。そうすることにより、スライダー５は再びガイドレール４に沿って移動可能となる。適当な位置を選択してプレス用頭部５５１への押圧を止めれば、その位置で再びスライダー５がガイドレール４に固定される。
【００２２】
このように、本実施例では、プレス用頭部５５１を押し下げて、ベルト２（２１，２２）がゆるむ方向へスライダー５をスライドさせるだけで、サイズ調整が可能となる。したがって、着用者が靴を脱ぐときも、バックル６から上側ベルト２２を外す必要はなく、プレス用頭部５５１を押し下げて、ベルトがゆるむ方向へスライダー５をスライドさせるだけで、足がベルトから外れる。
【００２３】
この実施例では、係止歯４４は三角柱状であって傾斜辺４４１を有する。スライダー５のＵ字型反転部の先端５５５は、傾斜辺４４１に接触すると、その上に乗り上がり、スライドするので、縮まる方向（図３（ａ）、図４（ａ）の左方向）に対しては、上側ベルト２２を左方向に引っ張るだけで締められる。
【００２４】
本発明では、ガイドレール４とスライダー５との選択的な係合により、ベルトの長さ調節が可能である。さらに、いうまでもなく、バックル６の調節孔と上側ベルト２２の選択的な係合によっても、ベルトの長さ調節が可能である。したがって、ベルトの長さ調節は二重に可能となっているので、それぞれ単独の場合と比較すると、調節距離が長くなっている。
【００２５】
本発明では、雌雄スナップボタンを使用しないので、ベルトを分断状態にするにはバックルからベルトを外さなければならず、そのようなことは意識的に行わない限りありえない。そのため、ボタンを外したときの見苦しさはなくなると共に、ボタンの係合という作業も不要となる。
【００２６】
さらに、図２に示すように、本発明では、スライダー５及びバックル６の下方には必ず下側ベルト２１が位置する。したがって、スライダー５及びバックル６が靴着用者の足に直接当たることはない。
【図面の簡単な説明】
【００２７】
【図１】本発明のサイズ調整具を使用した婦人靴１の斜視図である。
【図２】図１の２−２断面図である。
【図３】（ａ）は、調整具３の拡大平面図（自然状態）で、（ｂ）は縦断面図である。
【図４】（ａ）は調整具３の拡大平面図（調整中）で、（ｂ）は同縦断面図である。
【符号の説明】
【００２８】
１     婦人靴
２     靴ベルト
２１   下側ベルト
２２   上側ベルト
２３   調節孔
３     調整具
４     ガイドレール
４３   ガイドレール基板
４４   三角柱状の係止歯
４４１  傾斜辺
４５   肉厚部
５     スライダー
５１   スライダー箱
５２   爪
５３   側部開口
５４   上部開口
５５   押動片
５５１ プレス用頭部
５５２ 頸部
５５３ 押動片本体
５５４ 字型反転部
５５５ 先端
５６   二脚バネ
６     バックル
６１   四角枠
６２   横断棒
６３   止めピン
【図１】
2008061901.tif 000003
【図２】
2008061901.tif 000004
【図３】
2008061901.tif 000005
【図４】
2008061901.tif 000006